(57)【要約】【課題】気柱の下端部を床シートに固定するにあたり、固定作業を楽に行えるようにし、また、床シートの損傷等を防止するとともに、気柱に空気を注入した際に気柱が歪んだ場合でも、簡単に固定し直すことが出来るようにする。【解決手段】空気膨張式の気柱２を床シート１に固定するにあたり、縦気柱２ａの下端部外周に面ファスナ５ｙを取り付けるとともに、床シート３の固定部４に、これと対となる面ファスナ５ｘを取り付け、この面ファスナ５ｘを開閉自在にするとともに、閉じた状態で縦気柱２ａの周囲を包み込むことが出来るようにする。【選択図】　　　図１
2004132007.tif 000002
【特許請求の範囲】
【請求項１】
空気膨張式テントの縦気柱の下端部を床シートの固定部に固定する構造であって、前記縦気柱の下端部外周面に面ファスナを取付け、また、前記床シートの固定部に、前記縦気柱の面ファスナに係着自在な面ファスナを設けることを特徴とする空気膨張式テントの気柱の固定構造。
【請求項２】
前記固定部の面ファスナは、前記縦気柱の面ファスナに係着する際、縦気柱の外周部全域を包み込むことが出来るような形態で設けられることを特徴とする請求項１に記載の空気膨張式テントの気柱の固定構造。
【請求項３】
前記縦気柱の下端部には、膨張抑制板が取り付けられており、また、前記床シートの固定部には、床シートの損傷を防止する損傷防止材が取付けられることを特徴とする請求項１又は請求項２に記載の空気膨張式テントの気柱の固定構造。
【発明の詳細な説明】
【０００１】
【発明の属する技術分野】
本発明は、骨格が気柱で構成される空気膨張式テントの縦気柱の固定構造に関する。
【０００２】
【従来の技術】
従来、例えば災害時の救護活動や、各種イベント等において、ゴム引き布等の気密シートから断面円形または断面多角形の柱状に形成される気柱を骨格とし、その周囲を天幕で覆うような比較的大型の空気膨張式テントが使用されることがあり、このような空気膨張式テントとして、床シート上の定位置に骨格の縦気柱の下端部を載置して固定するような技術が知られており、例えば、床シートに円筒形で且つ複数のハトメを有する下止着布を固定するとともに、気柱の下端部外周に複数のハトメを有する上止着布を巻き付けて固定し、下止着布と上止着布のハトメの位置が合うように気柱を位置決めした後、ハトメに紐を蛇行状に通して固定するような技術が知られている。（例えば、特許文献１参照。）
また、床シートに雄ジッパーを備えた円形の帯状体を取り付ける一方、気柱の下端部の周縁部に雌ジッパーを取り付け、これら雌雄のジッパーを噛合させることで、気柱を床シート（グランドシート）に固定するような技術も知られている。（例えば、特許文献２参照。）。
【０００３】
【特許文献１】
特開平１０−１１０５５９号公報（図９、図１０）
【特許文献２】
特開平９−２８７３１９号（図２〜図４）
【０００４】
一方、図５に示すような固定構造も知られており、この技術では、床シート５１の所定部に取付け部材５２を介してハトメｈを有する円形布５３を取り付けると同時に、縦気柱５４の下端部にもハトメｈを有する円形布５５を取付けておき、（ｂ）に示すように、各ハトメｈに紐５６を通して固定するようにしている。
【０００５】
【発明が解決しようとする課題】
ところが、前者の特開平１０−１１０５５９号のような固定技術では、気柱に巻き付けた上止着布のハトメと気柱との隙間が狭いため、紐を通して結ぶ作業が難しいという問題があった。また、本明細書の図５の場合は、収納時等において、床シート５１の円形布５３のハトメｈの金具が床シート５１と擦れ合って同部の床シート５１が損傷しやすい。また、使用時にもハトメｈと縦気柱底面との間に若干の隙間間隔があることによって遊びが生じるため、風等によりテントが揺れる際に、縦気柱底面と円形布５３が擦れ合い、破損しやすいという問題があった。
また、特開平９−２８７３１９号においても、ジッパーの存在により縦気柱底面と床シート（グランドシート）の間に遊びが生じ、縦気柱底面と床シートが擦れ合って破損しやすいという問題があった。
また、これらの方法は、気柱に空気を注入する前に、予めハトメやジッパーを結合させておくような手順を採用すれば、テントを設営する作業を楽に行うことが出来る。しかしながら、気柱が織布にゴム引きしたようなゴム引き布の場合、ゴム引きの工程において、織布にかかるテンションが部分的に異なる等により、ゴム引き布に歪みが生じている場合がある。そこで、予め縦気柱を固定した状態で気柱に空気を注入すると、空気を注入した時点で気柱に歪みが発生して、床シートが捩じれてしまうという問題がしばしば発生する。そして、この床シートの歪みを取り除くためには、ハトメに通した紐を結び直さなければならず、また、ジッパーの場合は、結合させる始点と終点が決まっているため、修正がきかないという問題があった。
【０００６】
そこで本発明は、縦気柱の下端部を床シートに固定するにあたり、固定作業を楽に行えるようにし、また、床シートの損傷等を防止するとともに、気柱に空気を注入した際に歪んだ場合でも、簡単に固定し直すことが出来、更に、縦気柱底面と床シートが擦れ合って破損するような不具合を防止することを目的とする。
【０００７】
【課題を解決するための手段】
上記目的を達成するため本発明は、空気膨張式テントの縦気柱の下端部を床シートの固定部に固定する構造において、前記縦気柱の下端部外周面に面ファスナを取付け、また、前記床シートの固定部に、前記縦気柱の面ファスナに係着自在な面ファスナを設けるようにした。
【０００８】
このように面ファスナで固定するようにすれば、固定作業が簡単であり、また床シートが損傷しにくくなるとともに、空気を注入して気柱が歪むような場合でも、簡単に留め直すことができる。
また、縦気柱底面と床シートの固定部との間に遊びを無くすことが出来るため、縦気柱底面と床シートが擦れ合って損傷するような不具合を抑制することが出来る。
更に、ハトメやジッパー等の硬い部分がないため、縦気柱を固定したままエアテントを丸めても、エアテントを傷める恐れが少ない。
【０００９】
また本発明では、前記固定部の面ファスナとして、縦気柱の面ファスナに係着する際、縦気柱の外周部全域を包み込むことが出来るような形態で設けるようにした。
【００１０】
このように、固定部の面ファスナを、縦気柱の外周部全域を包み込むような形態にし、縦気柱の外周面全域で面ファスナを係着させるようにすれば、縦気柱の下端部がしっかりと固定され、テントの姿勢が安定する。
【００１１】
また本発明では、前記縦気柱の下端部に、膨張抑制板を取り付けるようにし、また、床シートの固定部には、床シートの損傷を防止する損傷防止材を取付けるようにした。
【００１２】
このように縦気柱の下端部に合板等の膨張抑制板を取り付ければ、空気を注入した際でも気柱の下端部が過度に膨らむような不具合がなくなって床シートと気柱の下端部の位置関係を正確にすることが出来、面ファスナを確実に係着させることが出来る。また、展張した後、風等で気柱が揺れると、膨張抑制材が床シートと擦れ合って床シートが損傷しやすくなる。このため、床シートの固定部に損傷防止材を貼着する等により設ける。
この際、損傷防止材としては、あまり硬すぎる素材であると、膨張抑制材と擦れ合って横に動く際に床シートが損傷しやすくなるため、例えば発泡ゴムや発泡樹脂等のようにある程度柔らかくて緩衝機能のある素材が好ましい。
【００１３】
【発明の実施の形態】
本発明の実施の形態について添付した図面に基づき説明する。
ここで図１は本発明に係る空気膨張式テントの骨格部分と床シートの一例を示す説明図、図２は気柱の固定構造を説明する拡大図、図３は固定構造の別実施例を示す説明図、図４は縦気柱の下端部に膨張抑制板を取り付ける場合の構成例を示す断面図である。
【００１４】
本発明に係る気柱の固定構造は、例えば図１に示すように、骨格となる部分が空気膨張式の気柱２で構成され、この気柱２の縦気柱２ａの下端部が床シート３に固定されるようなテント１を設営するにあたり、床シート３に対する気柱２の固定作業を楽に行えるようにし、また、床シート３の損傷等を防止するとともに、気柱２に空気を注入した際に気柱２の歪みによって床シート３が捩じれるような場合でも、簡単に留め直すことが出来るようにされている。
【００１５】
すなわち、床シート３には、縦気柱２ａの下端部を固定するための固定部４が設けられ、この固定部４には、面ファスナ５ｘが設けられるとともに、縦気柱２ａの下端部にも、対となる面ファスナ５ｙが設けられている。
【００１６】
そして、固定部４の面ファスナ５ｘは、図２にも示すように、２枚の面ファスナを床シート３に半円状に取り付けてお互いに開いたり閉じたり出来るようにするとともに、閉じた状態で縦気柱２ａの外径とほぼ同じ径の円筒形状になるようにしている。
【００１７】
一方、縦気柱２ａの下端部の面ファスナ５ｙは、外周面に巻き付けられるように取り付けられ、この面ファスナ５ｙの全域に前記固定部４の面ファスナ５ｘを係着させることが出来るようにされている。
【００１８】
以上のような固定構造において、テントを設営するときは、気柱２に空気を注入する前に、縦気柱２ａの面ファスナ５ｙを床シート３の固定部４の面ファスナ５ｘに係着させて仮留め状態にする。
【００１９】
そして、気柱２内部に空気を注入すると、気柱２がゴム引き布の場合であって、ゴム引き工程において、織布にかかるテンションが異なっていたような場合には、縦気柱２ａの歪みによって床シート３が捩じようとするが、この際の留め直しは容易である。すなわち、面ファスナ５ｘ、５ｙを係着し直すだけの作業である。
【００２０】
また、最終的に縦気柱２ａの下端部の周囲全域が固定部４の面ファスナ５ｘで拘束されるため、床シート３に対して気柱２が確固とした状態で固定され、テント１の姿勢が安定したものになる。
【００２１】
ところで、以上の実施例では、床シート３側の固定部４の面ファスナ５ｘによって、縦支柱２ａの下端部の周囲全域を固定するような例を示したが、図３に示すように、縦気柱２ａの周囲に部分的に係着させて固定するような構造にすることも可能である。
この場合、隣接する面ファスナ５ｘの間にベルト等の連結具ｂを設け、この連結具ｂにより締め付け固定するようにすれば、一層確実に固定することが出来る。
【００２２】
尚、縦気柱２ａの下端部の面ファスナ５ｙを固定部４の面ファスナ５ｘに係着させて固定する際、気柱２に空気を注入した時点で、縦気柱２ａの下端部が常に一定の径で膨らむことが好ましい。
そして、このためには、縦気柱２ａの下端部に剛性のある板等を取り付けて膨張を一定に規制する必要がある。
【００２３】
一方、縦気柱２ａの下端部に、剛性のある板等を取り付けると、風等によって気柱２が揺れたりすると、板等と床シート３が擦れて床シート３が損傷しやすくなる。
そこで、図４は、このような不具合を防止するようにした構成例である。
【００２４】
この構成例は、縦気柱２ａの下端部に、合板等の膨張抑制材６を取り付けるとともに、固定部４の面ファスナ５ｘ内に、発泡ゴムや発泡樹脂等のようにある程度柔らかくて緩衝機能のある損傷防止材７を設けるようにしている。
そして、膨張抑制材６を設けることによって、気柱２に空気を注入した際に、縦気柱２ａの下端部が過度に膨張するのが防止されて一定寸法の円筒形状になり、固定部４にしっかり固定されるようになる。
また、風やテント１への人の出入り等で気柱２が揺れる場合でも、損傷防止材７によって膨張抑制材６が直接床シート３と擦れ合うことがなく、床シート３が損傷するような不具合がない。
【００２５】
尚、本発明は以上のような実施例に限定されるものではない。本発明の特許請求の範囲に記載した事項と実質的に同一の構成を有し、同一の作用効果を奏するものは本発明の技術的範囲に属する。
例えば縦気柱２ａの断面形状は必ずしも円形に限られるものではなく、また、固定部４の面ファスナ５ｘは、二分割タイプ以外の三分割或いはその以上の分割方式であっても良い。
【００２６】
【発明の効果】
以上のように本発明に係る空気膨張式テントは、縦気柱の下端部外周面に面ファスナを取付け、また、床シートの固定部に、縦気柱の面ファスナに係着自在な面ファスナを取付けるようにしたため、気柱を床シートに固定する作業が簡単であり、また、空気を注入して気柱が歪むような場合でも、簡単に留め直すことができる。
また、固定部の面ファスナとして、縦気柱の周囲を包み込むことが出来るような形態で設ければ、縦気柱の下端部がしっかりと固定され、テントの姿勢が安定する。
そして、縦気柱の下端部に膨張抑制板を取り付け、また、床シートの固定部に、損傷防止材を取付ければ、空気を注入した際でも縦気柱の下端部が過度に膨らむような不具合がなくなって面ファスナを確実に係着させることができ、また、床シートの損傷防止が図られる。
【図面の簡単な説明】
【図１】本発明に係る空気膨張式テントの骨格部分と床シートの一例の説明図
【図２】気柱の固定構造を示す拡大図
【図３】気柱の固定構造の別実施例であり、（ａ）が固定状態、（ｂ）が取り外した状態
【図４】縦気柱の下端部に膨張抑制板を取り付ける場合の構成例を示す断面図
【図５】従来の固定構造の説明図で、（ａ）は固定前、（ｂ）は固定後の状態図
【符号の説明】
１…テント、２…気柱、２ａ…縦気柱、３…床シート、４…固定部、５ｘ…面ファスナ、５ｙ…面ファスナ、６…膨張抑制材、７…損傷防止材。
【図１】
2004132007.tif 000003
【図２】
2004132007.tif 000004
【図３】
2004132007.tif 000005
【図４】
2004132007.tif 000006
【図５】
2004132007.tif 000007